(57)【要約】【課題】  従来技術では、カバーと周辺内装パネルとの位置合わせ品質がケース本体に取り付けられる車体部材の加工精度と取付バラツキの影響を受けて悪化し、カバーがわずかに突出したり、落ち込んだ状態になることがあり、調整が難しいという問題がある。また、取付作業性を向上させるようにすると、エアバッグの展開に対してフック部材が抜ける心配があるので、取付作業性を向上できないという問題がある。【解決手段】  車両に搭載されるエアバッグモジュールであって、リテーナ２は、エアバッグ９の反膨出方向に沿って折り返されたフック7を備え、リッド８は、フック７に係合する係合孔８４が穿設された周壁部８２を有し、リテーナ２からフック７の折り返し部の内側に延設配置され、係止孔８４に少なくとも部分的に重なる延設部１５ａを有するプレート１５がリテーナ２に添設されたエアバッグモジュール。【選択図】図１
2010116084.tif 000002
【特許請求の範囲】
【請求項１】
ガスを発生するインフレータと、インフレータの発生するガスにより膨張するエアバッグと、インフレータを保持するインフレータ保持部とエアバッグを収容するエアバッグ収容部とを備えたリテーナを有し、車両の所定値を超える減速度を車両が検出したときにエアバッグ収容部に設けられたリッドの開口予定部を開口してエアバッグが膨出するようにしたエアバッグモジュールであって、リテーナは、エアバッグの反膨出方向に沿って折り返されたフックを備え、リッドは、フックに係合する係合孔が穿設された周壁部を有し、リテーナからフックの折り返し部の内側に延設配置され、係止孔に少なくとも部分的に重なる延設部を有するプレートがリテーナに添設されたことを特徴とするエアバッグモジュール。
【請求項２】
プレートは、フックの折り返し部の内側に当接し、リテーナの下端とプレート対向面と離間して配置されることを特徴とする請求項１に記載のエアバッグモジュール。
【請求項３】
複数のフックのそれぞれに係止される複数の係止孔があり、プレートは複数のフックに亘って添設されることを特徴とする請求項１または請求項２に記載のエアバッグモジュール。
【発明の詳細な説明】
【技術分野】
【０００１】
本発明は自動車に備えられるエアバッグ装置に係るエアバッグモジュール、特にリテーナに係合されるリッドを備えたエアバッグモジュールに関するものである。
【背景技術】
【０００２】
エアバッグは、車両の衝突における乗員への衝撃を吸収緩和する手段として今日広く普及している。運転席用エアバッグ、助手席用エアバッグ、サイドエアバッグ、サイドカーテンエアバッグ、膝用エアバッグ、さらに車外用エアバッグなど、搭載される位置、対象とする衝突のモードなども多様化している。
エアバッグを膨張させるための膨張用ガスも、窒素、ヘリウム、アルゴンなど種々のものがあり、その発生させる方法も、薬剤を燃焼させて生成させる方法、圧力容器に封入していて所望のタイミングで開封させて圧力容器外であるエアバッグ内に放出させる方法などが用いられている。
本発明に対する従来例としては、容器状のケース本体の開口周縁部内側にエアバッグの開口周縁部が固定された状態で、該ケース本体内に該エアバッグを収納するとともに、該エアバッグを収納した状態で該ケース本体の開口部を覆蓋するドアの取付部が該ケース本体の開口周縁部外側に取り付けられるエアバッグケースであって、前記ケース本体の開口周縁部、前記エアバッグの開口周縁部、および前記ドアの取付部にはそれぞれ複数の貫通孔が設けられている一方、該複数の貫通孔に跨がって位置するように長手形状を成し、前記エアバッグの開口周縁部の内側に配設されるとともに、該エアバッグ、前記ケース本体、および前記ドアの取付部の貫通孔をそれぞれ貫通して該取付部の外側まで突き出す複数の係止部が一体に設けられたリテーナと、該リテーナと略同じ長さ寸法を有して前記ドアの取付部の外側に配設され、該リテーナの複数の係止部に係止されることにより、該リテーナ、前記エアバッグ、および前記ドアの取付部をそれぞれ前記ケース本体に対して離脱不能とするストッパと、該ストッパおよび前記ケース本体の一方に一体的に設けられ、前記ドアの取付部に設けられた貫通孔を貫通して該ストッパおよびケース本体の他方と係合させられることにより、該ケース本体と該ストッパとの間で該ドアの取付部が所定の遊びを有するように、前記リテーナによって許容される範囲で該ストッパを該ケース本体から最も離間する位置に位置決めするサポートとを有するエアバッグケース（例えば、特許文献１参照）が存在している。
また、ガス発生用インフレータと、該インフレータが発生するガス圧によって膨張するエアバッグと、前記インフレータを収容保持するインフレータ収容部と、前記エアバッグを収容保持するエアバッグ収容部とを有し、所定値を超える減速度が車両に作用した際に前記エアバッグ収容部に設けられた開口から車室内に向けて前記エアバッグが膨出するようにしてなるエアバッグ式乗員保護装置であって、前記インフレータのガスを噴出させる噴気孔が設けられ前記インフレータ収容部と前記エアバッグ収容部との間を隔てる隔壁を有する第１のリテーナ部材と、前記エアバッグ収容部を構成する第２のリテーナ部材との互いの対向面間に前記エアバッグの開口端を挟み込んだ状態で前記第１・第２両リテーナ部材を相互に結合するエアバッグ式乗員保護装置（例えば、特許文献２参照）が存在している。
【特許文献１】特開平１０−１６６９１号公報（特許請求の範囲の欄、発明の詳細な説明の欄、及び図１〜図８を参照）
【特許文献２】特開平７−１１７６０７号公報（特許請求の範囲の欄、発明の詳細な説明の欄、及び図１〜図４を参照）
【発明の開示】
【発明が解決しようとする課題】
【０００３】
しかしながら、前記従来技術である特開平１０−１６６９１号では、カバー１６を係止部２０ａにエアバッグと共に通しストッパ２４を挿し込んで止めている（図４を参照）。そのため、カバー１６と周辺内装パネルとの位置合わせ品質がケース本体１２の取り付けられる車体部材（インパネリーンフォースメントなど）の加工精度と取付バラツキの影響を受けて悪化し、カバー１６がわずかに突出したり、落ち込んだ状態になることがあり、調整が難しいという問題がある。
また、特開平７−１１７６０７号では、フック部材１２でリッド６（カバー）を引掛けて支持している（図１を参照）。これによって、インストルメントパネル７との係合を爪１６で行い、リッド６の長孔１４がフック部材１２をルーズに保持し、誤差を吸収緩和し、インストルメントパネル内のエアバッグ装置取付部材の製作誤差にもかかわらず、良好な合わせ品質を得ることができ、外観が向上する。リッド６は、断面視一対のフック部材１２を、一対の弾発係合片１３を図１の左右方向に押し広げるように圧入してアッパリテーナ４に取り付けられる。この取付作業性を向上させるようにする（すなわち、フック部材１２を容易に挿入できるように、弾発係合片１３、１３の間を広くするなどする）と、エアバッグの展開に対してフック部材１２が抜ける心配があるので、取付作業性を向上できない、との課題がある。
特に、大出力インフレータを使用する場合には、予めタイトな弾発係合片１３、１３間距離としておかなければならないから、取付作業の困難性が高まる。またカバー体に変形や傷が付くなどの懸念があり、特に軟質の樹脂で成形されている場合には、歩留を悪化し生産性の低下と、工程内スクラップの発生の心配がある。
本発明は、これらの問題を解決したものであって、この発明は、組立が容易で、位置調整がしやすく、エアバッグの展開によっても容易に脱離することのないフック式リッド係止手段を提供することを目的とする。
【課題を解決するための手段】
【０００４】
上記課題を解決するための本発明の第１発明は、請求項１に記載された通りのエアバッグモジュールであり、次のようなものである。
ガスを発生するインフレータと、インフレータの発生するガスにより膨張するエアバッグと、インフレータを保持するインフレータ保持部とエアバッグを収容するエアバッグ収容部とを備えたリテーナを有し、車両の所定値を超える減速度を車両が検出したときにエアバッグ収容部に設けられたリッドの開口予定部を開口してエアバッグが膨出するようにしたエアバッグモジュールであって、リテーナは、エアバッグの反膨出方向に沿って折り返されたフックを備え、リッドは、フックに係合する係合孔が穿設された周壁部を有し、リテーナからフックの折り返し部の内側に延設配置され、係止孔に少なくとも部分的に重なる延設部を有するプレートがリテーナに添設される構成である。
【０００５】
上記課題を解決するための本発明の第２発明は、請求項２に記載された通りのエアバッグモジュールであり、次のようなものである。
請求項１に記載の発明に加えて、プレートはフックの折り返し部の内側に当接し、リテーナの下端とプレート対向面と離間して配置される構成である。
【０００６】
上記課題を解決するための本発明の第３発明は、請求項３に記載された通りのエアバッグモジュールであり、次のようなものである。
請求項１、または請求項２に記載の発明に加えて、複数のフックのそれぞれに係止される複数の係止孔があり、プレートは複数のフックに亘って添設される構成である。
【発明の効果】
【０００７】
本発明に係るエアバッグモジュールは、上記説明のような構成であるので、以下に記載する効果を奏する。
（１）添設されたプレートが、係止孔の開口面積を減少させるので、フックの脱離可能性を抑制できる。プレートは、リテーナからフックの折り返し部の内側に延設配置されフックとプレートが一体的に移動可能であって、係合孔の孔内の実質寸法にも影響しない。そのため位置合わせのためのリッドの遊動に影響を及ぼすことが少なく、合わせ品質を容易に高めることができる。
（２）プレートは、フックの折り返し部の内側に当接し、リテーナの下端とプレート対向面と離間して配置される場合にあっては、一層リッドの遊動への影響が少なくなる。
（３）複数のフックのそれぞれに係止される複数の係止孔があり、プレートは複数のフックに亘って添設される場合には、フックとフックの間にプレートが掛け渡されるように支えられ、プレートの撓み強度を抑制しつつ所望の保持強度が得られるから、プレートを薄肉にするなどが可能になり、材料費低減によるコスト抑制と軽量化が可能になる。
【発明を実施するための最良の形態】
【０００８】
ガスを発生するインフレータと、インフレータの発生するガスにより膨張するエアバッグと、インフレータを保持するインフレータ保持部とエアバッグを収容するエアバッグ収容部とを備えたリテーナを有し、車両の所定値を超える減速度を車両が検出したときにエアバッグ収容部に設けられたリッドの開口予定部を開口してエアバッグが膨出するようにしたエアバッグモジュールであって、リテーナは、エアバッグの反膨出方向に沿って折り返された複数のフックを備え、該複数のフックのそれぞれに係止される複数の係止孔を有するリッドは、フックに係合する係合孔が穿設された周壁部を有し、リテーナからフックの折り返し部の内側に延設配置され、係止孔に少なくとも部分的に重なる延設部を有し、フックの折り返し部の内側に当接し、リテーナの下端とプレート対向面と離間して配置されるプレートが複数のフックに亘ってリテーナに添設されたエアバッグモジュールである。
【実施例】
【０００９】
以下、本発明の一実施例を添付図面で詳細に説明する。
図１は、本発明のエアバッグモジュールの一例を示す概略斜視図、図２は、本発明のエアバッグモジュールの一例を示す概略断面図、図３は、本発明のエアバッグモジュールのインストルメントパネルに対する衝撃テストの状態を示すもので、（ａ）は一部拡大説明図、（ｂ）は要部の概略説明図、図４は、本発明のエアバッグモジュールの（ａ）ロアプレートを使用した場合と、（ｂ）ロアプレートを使用していない場合の状態を示す概略斜視図、図５は、本発明のエアバッグモジュールの他の実施例を示すもので、シングルインフレータタイプのエアバッグモジュールにロアプレートを設置した状態を示す概略斜視図、図６は、本発明のエアバッグモジュールに採用したロアプレートの変形例を示す概略説明図である。
【００１０】
ここで、図１から図３に基づいて本発明の一実施例について説明する。
図１は、インストルメントパネルに設置され助手席乗員の前方に膨張展開するエアバッグを備えたエアバッグ装置１を、車体取付状態における下方から見た図である。一対のインフレータ１０、１１を鋼板でプレスし、折り曲げ溶接して製作したリテーナ２の底部２ａに、インストルメントパネル内の構造部材である図示しないステアリングメンバにエアバッグ装置１を固定するためのブラケット３と共締めされ、取り付けてある。
すなわち、図２に示すように、リテーナ２の底部２ａにインナプレート４に設けたスタッド４ａを、エアバッグ９（図２では詳細図示省略）の取付穴に通し、その取付穴の周縁部をインナプレート４と底部２ａとで挟んで、さらにインフレータ１０（１１）のフランジ部１０ａ（１１ａ）を重ねナット５で締め付け挟持して強固に固定する。
インフレータ１０（１１）の小径のガスポート１０ｂ（１１ｂ）が底部２ａに設けた開口２ｂからエアバッグ内部に挿入され、図示しない衝突検出装置からの起動信号をハーネス６を介してインフレータ１０（１１）に送り、車両の衝突に際してエアバッグ装置１を作動させる。
【００１１】
リテーナ２の周壁部２１には、側面視略逆Ｊ字状のフック７が溶接などにより取り付けられている。
リッド８は、オレフィン系エラストマー（ＴＰＥと呼称されることあり）を射出成形した無底箱状の部材であり、エアバッグ９の膨張により、所定の破断予定部で開裂して扉を形成する。意匠面である上面部８１と、リテーナである周壁部８２とより概略構成され、さらに、上面部８１には、インストルメントパネルの取付開口の縁部に係合する爪８３が、周壁部８２には、フック７が挿入係合される孔８４が穿設されている。
【００１２】
孔８４は、フック７の挿通部７ｂが遊動可能になっており、前述のステアリングメンバにブラケット３を介して取り付けたリテーナ２の位置と、インストルメントパネルの表皮開口部に嵌め込まれて取り付けられるリッド８との位置の微小誤差を吸収し、リッド８がインストルメントパネル表面に対してわずかでも浮き上がったり落ち込んだりすることを防止できるように構成されている。
エアバッグ９の膨張時には、爪８３がインストルメントパネルの表皮開口部に対して係合状態を維持するか否かに拘わらず、フック７がリッド８を支持することになる。
【００１３】
ここで、本発明のエアバッグモジュールの特徴であるロアプレート１５について詳細に説明する。
フック７の挿通部７ｂからさらに先端側の先端部７ａが、図２の下方（矢印ＤＷ）に折り返されるように延長されている。ここに先端部１５ａが入るようにロアプレート１５が取り付けられている。
ロアプレート１５は、図１に示すように、一列に配置されたフック７の第３フック７３から第５フック７５までの３つに亘って重合するような幅広のプレートである。リテーナ２と同様の鋼板を使用している。
ロアプレート１５の下部１５ｂはリテーナ２の底部２ａに沿うように側面視略Ｌ字状に曲げられ、スタッド４ａのピッチに合せて通孔１５ｃが穿孔されており、ナット１６で固定されている。
【００１４】
なお、上述の先に締め付けたナット５の使用に代えて、ロアプレート１５を取り付けるときナット１６で締めてもよいが、ナット５で締め付けてから、スタッド４ａの余長部分にさらにナット１６を使用することで、インフレータ１０、１１の取付時の締め付けトルクの管理を行い、ロアプレート１５の取付作業の工程管理と分けて管理できるようにすることも、有効である。
【００１５】
このように取り付けることで孔８４に対してリテーナ２とロアプレート１５とが一体的に相対移動するので、上記微小誤差の吸収効果が阻害されることがないものである。
【００１６】
また、ロアプレート１５の中間部分に側面視クランク状をなす段部１５ｃがあり、周壁部８２の先端８２ａが対向する。
これは、インストルメントパネル衝撃テスト（図３参照）において、鉄球が上面部８１に衝突するとき、周壁部８２の幅方向(図１・矢印ＬＲ)の中央部分８２ｂが外方すなわち矢印ＲＲ方向に膨出するように撓むが、中央部分８２ｂをロアプレート１５の先端部１５ａが周壁部８２の中央部分８２ｂに当接して受け止め、フック７が孔８４から抜けるのを防ぐことができる。
エアバッグ９の展開時には、エアバッグ９が上面部８１を押し上げ、それによって周壁部８２が上方（図２・矢印ＵＷ方向）に持ち上げられるが、フック７の先端部７ａにより後方から支えられたロアプレート１５の先端部１５ａが面状に受けとめて周壁部８２を支えるので、軟質樹脂で成形されたリッド８の周壁部８２がその孔８４の近傍においてフック７の先端部７ａが押し付けられ孔８４を変形させるような力の集中を分散・緩和して、リッド８をリテーナ２に確実に保持することができる。
そのため、軟質樹脂で成形したリッド８を、高出力インフレータを使用したエアバッグモジュールに適用することもでき、展開特性、特に開裂特性とリッドの耐応力強度を容易に得ることができる。
【００１７】
ロアプレート１５は、図１〜２では片側、すなわち周壁部８２の４面のうちの矢印ＲＲ側の一面にのみ使用したが、他のフック係合面である矢印ＦＲ側の面にも使用することができ、また、図１では矢印ＲＲ、ＦＲの２面すなわち長辺の側にフックを配置したが、さらに矢印ＬＲ側すなわち短辺の側にも１つまたは複数のフックを同様に配置してロアプレート１５に準じたプレートを設置することもできることはいうまでもない。
【００１８】
図１〜２を参照して説明した上記実施例では、ナット５でインフレータ１０（１１）を所定トルクで締め付け、組立作業の大部分を完了し、さらに、追加的にロアプレート１５を取り付けるようにしている。そのため、使用するインフレータの立上り特性の差異により、例えば、緩やかな立上り曲線を描く圧力上昇特性を持つ場合には、フック７が孔８４を変形させる程度が軽く、したがって、共通の部品を使用しつつ、ロアプレート１５の使用をする状態と、ロアプレート１５の使用を選択しない態様とを手軽に変更することもできる（図４参照）。
【００１９】
ロアプレート１５にはその下部１５ｂに３つのアーチ部１５ｄ、１５e、１５ｆがあり、ツインインフレータ（１０、１１）タイプ（図１参照）ではアーチ部１５ｄと１５ｆがインフレータ１０、１１の胴部に対応し、シングルインフレータ（１０）タイプ（図５参照）では、アーチ部１５ｅがインフレータ１０の胴部に対応する。ロアプレート１５はこのような複数の仕様に対応できるようにデザインしておくのがよい。
また、ロアプレート１５の先端部１５ａは先端のエッジを直線状としたが、フック７の先端部７ａに対応する部分を受け入れる矩形波型としてもよい。これによって孔８４およびその周縁部に沿う面積が拡大し、ロアプレート１５のフック７に対する左右方向（図１の矢印ＬＲ）の位置決めができるようになる。
【００２０】
図６は、ロアプレート１５の変形例である。下部１５ｂに破線状をなすスリット列１５ｇ（または、湾曲弱部１５ｈ、プレス薄肉部１５ｉ）を設けた。これにより、インストルメントパネル衝撃テストにおける衝撃潰れ特性を調節することができる。
【産業上の利用可能性】
【００２１】
全ての自動車の運転席・助手席等に備えられたエアバッグモジュールに利用することができるものである。
【図面の簡単な説明】
【００２２】
【図１】図１は、本発明のエアバッグモジュールの一例を示す概略斜視図である。
【図２】本発明のエアバッグモジュールの一例を示す概略断面図である。
【図３】本発明のエアバッグモジュールのインストルメントパネルに対する衝撃テストの状態を示すもので、（ａ）は一部拡大説明図、（ｂ）は要部の概略説明図概略説明図である。
【図４】本発明のエアバッグモジュールの（ａ）ロアプレートを使用した場合と、（ｂ）ロアプレートを使用していない場合の状態を示す概略斜視図である。
【図５】本発明のエアバッグモジュールの他の実施例を示すもので、シングルインフレータタイプのエアバッグモジュールにロアプレートを設置した状態を示す概略斜視図である。
【図６】本発明のエアバッグモジュールに採用したロアプレートの変形例を示す概略説明図である。
【符号の説明】
【００２３】
１・・・・エアバッグ装置              ２・・・・リテーナ
２ａ・・・・底部                      ２ｂ・・・・開口
２１・・・・周壁部
３・・・・ブラケット                  ４・・・・インナプレート
４ａ・・・・スタッド                    ５・・・・重ねナット
６・・・・ハーネス                    ７・・・・フック
７ａ・・・・フック先端部              ７ｂ・・・・挿通部
７１・・・・フック                    ７２・・・・フック
７３・・・・フック                    ７４・・・・フック
７５・・・・フック                    ７６・・・・フック
７７・・・・フック
８・・・・リッド                    ８１・・・・上面部
８２・・・・周壁部                  ８２ａ・・・・先端
８２ｂ・・・・中央部分                  ８３・・・・爪
８４・・・・孔
９・・・・エアバッグ
１０・・・・インフレータ            １０ａ・・・・フランジ部
１０ｂ・・・・ガスポート                １１・・・・インフレータ          
１１ａ・・・・フランジ部              １１ｂ・・・・ガスポート
１５・・・・ロアプレート            １５ａ・・・・先端部
１５ｂ・・・・下部                    １５ｃ・・・・通孔
１５ｄ・・・・アーチ部                １５ｅ・・・・アーチ部
１５ｆ・・・・アーチ部                １５ｇ・・・・スリット列
１５ｈ・・・・湾曲弱部                １５ｉ・・・・プレス薄肉部
【図１】
2010116084.tif 000003
【図２】
2010116084.tif 000004
【図３】
2010116084.tif 000005
【図４】
2010116084.tif 000006
【図５】
2010116084.tif 000007
【図６】
2010116084.tif 000008